Podtech/llm-jp-corpus-v4-ja_patent huggingface dataset:
【手続補正書】
【提出日】平成29年9月12日(2017.9.12)
【手続補正１】
【補正対象書類名】明細書
【補正対象項目名】００１１
【補正方法】変更
【補正の内容】
【００１１】
すなわち、本出願に係る発明は、結着樹脂、ワックス及び着色剤を含有するトナー粒子と、
該トナー粒子の表面に存在するシリカ微粒子Ａ及びチタン酸ストロンチウム微粒子Ｂと
を含有するトナーであって、
該シリカ微粒子Ａの個数平均粒径（Ｄ１）が、６０ｎｍ以上３００ｎｍ以下であり、
該シリカ微粒子Ａによる該トナー粒子の表面の被覆率を被覆率Ｘ（％）とし、該トナー粒子の表面に固着された該シリカ微粒子Ａによる該トナー粒子の表面の被覆率を被覆率Ｙ（％）としたときに、該被覆率Ｘが、２０％以上９５％以下であり、該被覆率Ｙの被覆率Ｘに対する比［被覆率Ｙ／被覆率Ｘ］が、０．７５以上であり、
該シリカ微粒子Ａが、負帯電性であり、
該チタン酸ストロンチウム微粒子Ｂが、正帯電性である
ことを特徴とするトナーおよび二成分系現像剤に関する。
【手続補正２】
【補正対象書類名】特許請求の範囲
【補正対象項目名】全文
【補正方法】変更
【補正の内容】
【特許請求の範囲】
【請求項１】
結着樹脂、ワックス及び着色剤を含有するトナー粒子と、
該トナー粒子の表面に存在するシリカ微粒子Ａ及びチタン酸ストロンチウム微粒子Ｂと
を含有するトナーであって、
該シリカ微粒子Ａの個数平均粒径（Ｄ１）が、６０ｎｍ以上３００ｎｍ以下であり、
該シリカ微粒子Ａによる該トナー粒子の表面の被覆率を被覆率Ｘ（％）とし、該トナー粒子の表面に固着された該シリカ微粒子Ａによる該トナー粒子の表面の被覆率を被覆率Ｙ（％）としたときに、該被覆率Ｘが、２０％以上９５％以下であり、該被覆率Ｙの被覆率Ｘに対する比［被覆率Ｙ／被覆率Ｘ］が、０．７５以上であり、
該シリカ微粒子Ａが、負帯電性であり、
該チタン酸ストロンチウム微粒子Ｂが、正帯電性である
ことを特徴とするトナー。
【請求項２】
前記シリカ微粒子Ａの表面が、ヘキサメチルジシラザン又はシリコーンオイルで処理されており、
前記チタン酸ストロンチウム微粒子Ｂの表面が、脂肪酸又は脂肪酸金属塩で処理されている
請求項１に記載のトナー。
【請求項３】
前記チタン酸ストロンチウム微粒子Ｂの一次粒子の個数平均粒径が、３０ｎｍ以上３００ｎｍ以下であり、
前記チタン酸ストロンチウム微粒子Ｂが、ペロブスカイト型結晶であり、
前記チタン酸ストロンチウム微粒子Ｂの粒子形状が、立方体状、直方体状又はそれらの混合物である
請求項１又は２に記載のトナー。
【請求項４】
前記チタン酸ストロンチウム微粒子Ｂの固着率が、０．１０以上０．６０以下である請求項１〜３のいずれか１項に記載のトナー。
【請求項５】
前記シリカ微粒子Ａの個数平均粒径（Ｄ１）が、７０ｎｍ以上２８０ｎｍ以下である請求項１〜４のいずれか１項に記載のトナー。
【請求項６】
前記シリカ微粒子Ａの量が、前記トナー粒子を１００質量部としたとき、２．０質量部以上１０．０質量部以下であり、
前記チタン酸ストロンチウム微粒子Ｂの量が、前記トナー粒子を１００質量部としたとき、０．２質量部以上１．０質量部以下である
請求項１〜５のいずれか１項に記載のトナー。
【請求項７】
トナー及び磁性キャリアを有する二成分系現像剤であって、
該トナーは、請求項１〜６のいずれか１項に記載のトナーであり、
該磁性キャリアが、キャリアコアを有し、
該キャリアコアの表面が、
下記式（１）で表される構造を有するモノマーと、
下記式（２）で表される構造を有するマクロモノマーと
を共重合成分として含有する共重合体によって、被覆されている
ことを特徴とする二成分系現像剤。
【化１】
2015084095.tif 000001
（式中、Ｒ1は炭素数４以上の炭化水素基を示し、Ｒ2はＨまたはＣＨ3を示す。）
【化２】
2015084095.tif 000002
（式中、Ａは炭素数５以上１０以下の脂環炭化水素基、アクリル酸メチル、メタクリル酸メチル、アクリル酸ブチル、メタクリル酸ブチル、アクリル酸２−エチルヘキシル、メタクリル酸２−エチルヘキシル、スチレン、アクリロニトリルからなるグループより選ばれる１種又は２種以上の化合物を重合成分とする重合体を示し、Ｒ3はＨまたはＣＨ3を示す。）
【手続補正書】
【提出日】平成29年9月15日(2017.9.15)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
表示装置は、表示部と、検出器とを有し、
前記表示部は、環状の曲面を有し、
前記表示部は、表示位置に画像を表示し、
前記検出器は、前記環状の曲面の円周方向に対する回転の角度を検出し、
前記表示部は、検出した円周方向に対する回転の角度に基づいて、前記円周方向に対する回転の方向とは逆の方向に、前記表示位置を定められた角度だけ回転させる機能を有する表示装置。
【請求項２】
環状の曲面を有する表示部を有し、
前記表示部は画像を表示する第１の表示位置を設け、
前記環状の曲面の円周方向に対する回転の角度を検出し、
前記表示部は、検出した円周方向に対する回転の角度に基づいて、前記円周方向に対する回転の方向とは逆の方向に、前記第１の表示位置を定められた角度だけ位置を変えた第２の表示位置を設ける機能を有する表示装置。
【請求項３】
環状の曲面を有する表示部を有し、
前記環状の曲面の角度を検出し、
前記環状の曲面の円周方向に対する回転の角度θを検出し、
前記表示部内の画像を表示させる表示位置を、前記環状の曲面の円周方向に対して角度−θだけ回転させる機能を有する表示装置。
【請求項４】
環状の曲面を有する表示部を有し、
互いに直交する３つの方向に対する加速度を検出し、
前記表示部は画像を表示する第１の表示位置を設け、
回転した後に前記互いに直交する３つの方向に対する加速度を検出し、
検出した加速度の変化から回転前後の傾きの変化を求め、
前記傾きの変化に基づき、表示位置を前記第１の表示位置から第２の表示位置へと変更する機能を有する表示装置。
【手続補正書】
【提出日】平成29年9月7日(2017.9.7)
【手続補正１】
【補正対象書類名】明細書
【補正対象項目名】発明の名称
【補正方法】変更
【補正の内容】
【発明の名称】発光装置
【手続補正２】
【補正対象書類名】特許請求の範囲
【補正対象項目名】全文
【補正方法】変更
【補正の内容】
【特許請求の範囲】
【請求項１】
発光素子と、
前記発光素子を支持する筐体と、
前記筐体に脱着することができる光学部品と、を有し、
前記発光素子は、第１の電極、前記第１の電極と重なる第２の電極および前記第１の電極と前記第２の電極に挟持される発光性の有機化合物を含む層を備え、
前記光学部品は、前記筐体と係合する取り付け部材と、前記取り付け部材を用いて前記筐体に取り付けられた状態で前記発光素子が射出する光を集光する光学シートを備える、発光装置。
【請求項２】
前記光学シートは、平面プリズム、フレンネルレンズまたはフライアイレンズを含む、請求項１記載の発光装置。
【請求項３】
定電流と制御パルス信号が供給され、定電流パルスを供給する開閉回路と、を有し、
前記発光素子は、前記定電流パルスを供給される請求項１または請求項２記載の発光装置。
【請求項４】
前記光学部品の脱着状態を検知し、前記光学部品の脱着状態に応じて、供給する電流の大きさを制御する定電流電源と、を有し、
前記発光素子は、前記電流を供給される請求項１乃至請求項３いずれか一に記載の発光装置。
【手続補正書】
【提出日】平成29年6月1日(2017.6.1)
【手続補正１】
【補正対象書類名】明細書
【補正対象項目名】０１２５
【補正方法】変更
【補正の内容】
【０１２５】
また、比較例４の非水電解質電池の正極のエネルギー密度は、実施例１のそれを１００とすると、９３であった。
【表１】
2015084323.tif 000001
【手続補正２】
【補正対象書類名】明細書
【補正対象項目名】０１５１
【補正方法】変更
【補正の内容】
【０１５１】
更に、実施例８の非水電解質電池１０の正極材料層３ｂについて得られたラマンチャートから、実施例８の非水電解質電池１０の正極材料層３ｂは、１３５０ｃｍ-1付近に現れた第１のピークの積分強度の１５９０ｃｍ-1付近に現れた第２のピークの積分強度に対する比が０．２３である第２の成分を含んでいることが分かった。そのため、この第２の成分をグラファイトと同定した。
【表２】
2015084323.tif 000002
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
外枠と、該外枠に対して開閉可能に設けられる前部材とを備えた遊技機であって、
前記外枠の下部前面には、幕板部が設けられており、
前記幕板部は、平面部と、該平面部よりも前方に突出する突出部とを有し、前記突出部の上面で前記前部材の所定部位を支持することを特徴とする遊技機。
【手続補正２】
【補正対象書類名】明細書
【補正対象項目名】０００１
【補正方法】変更
【補正の内容】
【０００１】
本発明は、パチンコ機等の遊技機に関する。
【手続補正３】
【補正対象書類名】明細書
【補正対象項目名】０００４
【補正方法】変更
【補正の内容】
【０００４】
しかしながら、従来の構成では、苛立った遊技者が力任せに叩く衝撃に耐え抜くための相当の強度がなく、遊技機に不具合が生ずる虞があった。
【手続補正４】
【補正対象書類名】明細書
【補正対象項目名】０００５
【補正方法】変更
【補正の内容】
【０００５】
本発明は、上記に鑑みなされたもので、その目的は、従来よりも強度の向上した遊技機を提供することにある。
【手続補正５】
【補正対象書類名】明細書
【補正対象項目名】０００６
【補正方法】変更
【補正の内容】
【０００６】
上記の目的を達成するため本発明は、
外枠と、該外枠に対して開閉可能に設けられる前部材とを備えた遊技機であって、
前記外枠の下部前面には、幕板部が設けられており、
前記幕板部は、平面部と、該平面部よりも前方に突出する突出部とを有し、前記突出部の上面で前記前部材の所定部位を支持することを特徴とする。
【手続補正６】
【補正対象書類名】明細書
【補正対象項目名】０００７
【補正方法】変更
【補正の内容】
【０００７】
また、本発明とは別の発明として、以下の手段を参考発明として開示する。
参考発明の遊技機は、
四角い環状枠の下辺の前面に幕板を設けてなる外枠と、
該外枠の前面に片開きの扉状に開閉可能なように装着され閉じた状態で前記幕板の上に位置する前面部材と、
該前面部材の前面下方位置に設けられた遊技操作用のハンドルと、
前記前面部材の前面であって前記ハンドルの下側に遊技者側に向けて突設した受台と、を備えた遊技機であって、
前記幕板と前記受台とを棚受け状の支持部材で分離可能な状態に連繋させることにより、前記受台に加わる下向きの外力を前記幕板に分散させ得るようにしたことを特徴とする。
また、前記支持部材は、前記受台側に設けるか、または、前記幕板側に設けるか、或は、前記受台側と前記幕板側の双方に設けられていて中間で分離可能に継ぎ合わさるようにして形成することができる。
【手続補正７】
【補正対象書類名】明細書
【補正対象項目名】０００８
【補正方法】変更
【補正の内容】
【０００８】
本発明の遊技機は、遊技者による外力に対して、効果的に対抗することができ、従来よりも強度を向上可能である。
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
遊技に必要な電力の供給を行う電源手段と、前記遊技を司る主制御手段と、前記主制御手段により制御される特別図柄表示手段と、前記主制御手段と通信可能に接続され、前記主制御手段からの演出に係る指令に基づいて前記遊技に伴う演出制御を実行する演出制御手段と、前記演出制御手段により制御される演出表示手段と、を備え、
前記主制御手段は、
前記電源手段からの電力の供給開始に伴い制御開始処理を実行する制御開始処理実行手段と、
遊技進行のための遊技進行割込み処理を所定の周期で実行する遊技進行割込み処理実行手段と、
遊技領域に発射された遊技媒体が前記遊技領域を流下して所定の始動領域を通過したことに基づき、
前記遊技進行割込み処理において、大当り抽選に関係する乱数を取得する乱数取得手段と、大当り抽選判定を行う大当り判定手段と、を備え、
前記遊技進行割込み処理により、前記演出制御手段に状況に応じて前記演出に係る指令を送信するとともに、所定の特別図柄変動開始条件が成立した場合に、前記特別図柄表示手段に、前記大当り抽選判定の結果を表す特別図柄の変動表示及び停止表示を行わせ、
前記演出制御手段は、
前記演出表示手段の表示内容の制御のために用いられる書換え可能な記憶手段を備え、
前記主制御手段からの前記演出に係る指令に基づいて、前記演出表示手段の表示状態を変化させ、
前記記憶手段は、
前記演出表示手段に表示すべき内容を示す表示内容情報を記憶する表示内容情報記憶領域と、
遊技の進行状況と、前記演出表示手段の表示状態の変化と、に関連付けて複数設けられ、前記主制御手段からの前記演出に係る指令に応じて書換えられる表示内容関連情報記憶領域と、を有し、
前記表示内容情報は、少なくとも、前記特別図柄に関連して変動表示及び停止表示される装飾図柄の種類を示すものであり、
前記演出制御手段が前記主制御手段からの前記演出に係る指令を受信した場合に、複数の前記表示内容関連情報記憶領域のうち、前記演出に係る指令に応じて決められた前記表示内容関連情報記憶領域の情報を、前記演出に係る指令に応じて決められた表示内容関連情報に書換え、
前記表示内容情報記憶領域には、複数の前記表示内容関連情報記憶領域のうちの何れかに記憶された前記表示内容関連情報が、前記主制御手段からの前記演出に係る指令に基づいてセットされ、
前記大当り抽選判定の結果が大当りであった場合に、前記装飾図柄を大当りを表す態様で停止表示させてから大当り遊技を実行し、停止表示された前記装飾図柄に関する情報を前記大当り遊技に際して表示する場合には、前記装飾図柄に関する情報を前記表示内容関連情報記憶領域に設定された情報に基づいて表示するぱちんこ遊技機。
【手続補正２】
【補正対象書類名】明細書
【補正対象項目名】０００５
【補正方法】変更
【補正の内容】
【０００５】
上記課題を解決するために本発明は、遊技に必要な電力の供給を行う電源手段（電源基板など）と、前記遊技を司る主制御手段（メイン基板など）と、前記主制御手段により制御される特別図柄表示手段（特別図柄等表示装置など）と、前記主制御手段と通信可能に接続され、前記主制御手段からの演出に係る指令に基づいて前記遊技に伴う演出制御を実行する演出制御手段（サブメイン基板など）と、前記演出制御手段により制御される演出表示手段（演出図柄表示装置など）と、を備え、
前記主制御手段は、
前記電源手段からの電力の供給開始に伴い制御開始処理を実行する制御開始処理実行手段と、
遊技進行のための遊技進行割込み処理を所定の周期で実行する遊技進行割込み処理実行手段と、
遊技領域に発射された遊技媒体が前記遊技領域を流下して所定の始動領域（第１始動入賞口、第２始動入賞口など）を通過したことに基づき、
前記遊技進行割込み処理において、大当り抽選に関係する乱数（当否乱数など）を取得する乱数取得手段と、大当り抽選判定を行う大当り判定手段と、を備え、
前記遊技進行割込み処理により、前記演出制御手段に状況に応じて前記演出に係る指令（各種のコマンドなど）を送信するとともに、所定の特別図柄変動開始条件が成立した場合に、前記特別図柄表示手段に、前記大当り抽選判定の結果を表す特別図柄の変動表示及び停止表示を行わせ、
前記演出制御手段は、
前記演出表示手段の表示内容の制御のために用いられる書換え可能な記憶手段を備え、
前記主制御手段からの前記演出に係る指令に基づいて、前記演出表示手段の表示状態を変化させ、
前記記憶手段は、
前記演出表示手段に表示すべき内容を示す表示内容情報を記憶する表示内容情報記憶領域（表示図柄の記憶領域など）と、
遊技の進行状況（コマンドの受信状況など）と、前記演出表示手段の表示状態の変化と、に関連付けて複数設けられ、前記主制御手段からの前記演出に係る指令に応じて書換えられる表示内容関連情報記憶領域（デモ図柄、前回図柄、今回図柄、確定図柄の各記憶領域など）と、を有し、
前記表示内容情報は、少なくとも、前記特別図柄に関連して変動表示及び停止表示される装飾図柄の種類を示すものであり、
前記演出制御手段が前記主制御手段からの前記演出に係る指令（電源立ち上げ時又は初期図柄表示に係るコマンド、変動パターンに係るコマンド、装飾図柄指定に係るコマンド、変動停止に係るコマンド、大当り開始・大当り中・大当り終了の各々のタイミングに係るコマンド、客待ちデモに係るコマンドなど）を受信した場合に、複数の前記表示内容関連情報記憶領域のうち、前記演出に係る指令に応じて決められた前記表示内容関連情報記憶領域の情報を、前記演出に係る指令に応じて決められた表示内容関連情報（初期図柄に係る情報、エラー図柄に係る情報、前回図柄に係る情報、指定の図柄に係る情報、確定図柄に係る情報、今回図柄に係る情報、デモ図柄に係る情報など）に書換え、
前記表示内容情報記憶領域には、複数の前記表示内容関連情報記憶領域のうちの何れかに記憶された前記表示内容関連情報が、前記主制御手段からの前記演出に係る指令に基づいてセットされ、
前記大当り抽選判定の結果が大当りであった場合に、前記装飾図柄を大当りを表す態様で停止表示させてから大当り遊技を実行し、停止表示された前記装飾図柄に関する情報を前記大当り遊技に際して表示する場合には、前記装飾図柄に関する情報を前記表示内容関連情報記憶領域に設定された情報に基づいて表示するぱちんこ遊技機である。
【手続補正書】
【提出日】平成29年9月7日(2017.9.7)
【手続補正１】
【補正対象書類名】明細書
【補正対象項目名】発明の名称
【補正方法】変更
【補正の内容】
【発明の名称】携帯情報端末
【手続補正２】
【補正対象書類名】特許請求の範囲
【補正対象項目名】全文
【補正方法】変更
【補正の内容】
【特許請求の範囲】
【請求項１】
筐体と、
前記筐体の第１の面に設けられた発光パネルと、
前記筐体の前記第１の面に設けられた撮像部と、
画像情報を送信する通信部と、を有し、
前記発光パネルは、パルス状の光を射出する機能を有する発光素子を有し、
前記撮像部は、シャッタ信号が供給されることで、前記パルス状の光が射出する方向を撮影した画像情報を供給する機能を有し、
前記発光パネルの発光部の総面積は、１５ｃｍ２以上１００ｃｍ２以下であることを特徴とする携帯情報端末。
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
プロセッサによって実行されたときに、前記プロセッサにアクチュエータを用いてハプティック効果を生成させる命令を有するコンピュータ可読媒体であって、前記ハプティック効果を生成することは、
前記ハプティック効果を定義するハプティック効果定義を受け付けるステップと、
アクチュエータが、前記ハプティック効果をプレイ可能かどうかを判定することを含む前記ハプティック効果定義を前処理するステップであって、前記判定することは、前記アクチュエータの立ち上り時間及び前記アクチュエータの立ち下がり時間を特徴付けることを含む、ステップと、
前記アクチュエータの状態の推定又は測定に基づいてフォース値を調整することを含む前記ハプティック効果定義を後処理するステップであって、前記調整は、前記ハプティック効果のプレイ中に生じる、ステップと、を備えるコンピュータ可読媒体。
【請求項２】
前記アクチュエータの状態の推定は、前記アクチュエータが立ち上がり時間曲線又は立ち下がり時間曲線のどこに位置するかを推定することに基づく、請求項１に記載のコンピュータ可読媒体。
【請求項３】
前記ハプティック効果定義は、前記ハプティック効果の包絡線を定義するパラメータ化された振動定義を含む請求項１に記載のコンピュータ可読媒体。
【請求項４】
前記パラメータ化された振動定義は、持続期間、周波数又はマグニチュードの少なくとも一つを含む一又はそれ以上のパラメータを有する請求項３に記載のコンピュータ可読媒体。
【請求項５】
前記アクチュエータは、偏心質量を含む、請求項１に記載のコンピュータ可読媒体。
【請求項６】
前記前処理するステップは、前記ハプティック効果をスケールダウンすることを含む請求項１に記載のコンピュータ可読媒体。
【請求項７】
前記後処理するステップは、フォース値が、アクチュエータ用の駆動回路へ送信される前に、毎回実行される請求項１に記載のコンピュータ可読媒体。
【請求項８】
前記後処理するステップは、予め決定された時間インターバルにおいて、前記ハプティック効果がプレイされると生じる、請求項１に記載のコンピュータ可読媒体。
【請求項９】
前記ハプティック効果は、前記ハプティック効果を前記アクチュエータへ送信することによりプレイされる請求項８に記載のコンピュータ可読媒体。
【請求項１０】
アクチュエータを用いてハプティック効果を生成する方法であって、
前記ハプティック効果を定義するハプティック効果定義を受け付けるステップと、
前記アクチュエータが、前記ハプティック効果をプレイ可能かどうかを判定することを含む前記ハプティック効果定義を前処理するステップであって、前記判定することは、前記アクチュエータの立ち上り時間及び前記アクチュエータの立ち下がり時間を特徴付けることを含む、ステップと、
前記アクチュエータの状態の推定又は測定に基づいてフォース値を調整することを含む前記ハプティック効果定義を後処理するステップであって、前記調整は、前記ハプティック効果のプレイ中に生じる、ステップと、を備える方法。
【請求項１１】
前記アクチュエータの状態の推定は、前記アクチュエータが立ち上がり時間曲線又は立ち下がり時間曲線のどこに位置するかを推定することに基づく、請求項１０に記載の方法。
【請求項１２】
前記ハプティック効果定義は、前記ハプティック効果の包絡線を定義するパラメータ化された振動定義を含む請求項１０に記載の方法。
【請求項１３】
前記パラメータ化された振動定義は、持続期間、周波数又はマグニチュードの少なくとも一つを含む一又はそれ以上のパラメータを有する請求項１２に記載の方法。
【請求項１４】
前記アクチュエータは、偏心質量を含む、請求項１０に記載の方法。
【請求項１５】
前記前処理するステップは、前記ハプティック効果をスケールダウンすることを含む請求項１０に記載の方法。
【請求項１６】
前記後処理するステップは、フォース値が、アクチュエータ用の駆動回路へ送信される前に、毎回実行される請求項１０に記載の方法。
【請求項１７】
前記後処理するステップは、予め決定された時間インターバルにおいて、前記ハプティック効果がプレイされると生じる、請求項１０に記載の方法。
【請求項１８】
前記ハプティック効果は、前記ハプティック効果を前記アクチュエータへ送信することによりプレイされる請求項１７に記載の方法。
【請求項１９】
ハプティカリィイネーブルドシステムであって、
ハプティック効果を定義するハプティック効果定義を受け付けるコントローラと、
前記コントローラと接続される駆動回路と、
前記駆動回路と接続されるアクチュエータと、
前記アクチュエータが、前記ハプティック効果をプレイ可能かどうかを判定することを含む前記ハプティック効果定義を前処理する、前記駆動回路と接続されるプリプロセッサであって、前記判定することは、前記アクチュエータの立ち上り時間及び前記アクチュエータの立ち下がり時間を特徴付けることを含む、プリプロセッサと、
前記ハプティック効果のプレイ中に、前記アクチュエータの状態の推定又は測定に基づいてフォース値を調整することを含む前記ハプティック効果定義を後処理する、前記駆動回路と接続されるポストプロセッサであって、前記調整は、前記ハプティック効果のプレイ中に生じる、ポストプロセッサと、を備えるシステム。
【請求項２０】
前記アクチュエータの状態の推定は、前記アクチュエータが立ち上がり時間曲線又は立ち下がり時間曲線のどこに位置するかを推定することに基づく、請求項１９に記載のシステム。
【請求項２１】
前記ハプティック効果定義は、前記ハプティック効果の包絡線を定義するパラメータ化された振動定義を含む請求項１９に記載のシステム。
【請求項２２】
前記パラメータ化された振動定義は、持続期間、周波数又はマグニチュードの少なくとも一つを含む一又はそれ以上のパラメータを有する請求項２１に記載のシステム。
【請求項２３】
前記アクチュエータは、偏心質量を含む、請求項１９に記載のシステム。
【請求項２４】
前記前処理は、前記ハプティック効果のスケールダウンを含む請求項１９に記載のシステム。
【請求項２５】
前記後処理は、フォース値が、前記駆動回路へ送信される前に、毎回実行される請求項１９に記載のシステム。
【請求項２６】
前記後処理は、予め決定された時間インターバルにおいて、前記ハプティック効果がプレイされると生じる、請求項１９に記載のシステム。
【請求項２７】
前記ハプティック効果は、前記ハプティック効果を前記アクチュエータへ送信することによりプレイされる請求項２６に記載のシステム。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
入力画像の高輝度信号情報の縮退度合いを判定する判定部と、
前記判定部による判定結果に基づいて、入力画像を調整する調整部と、
を具備する画像処理装置。
【請求項２】
前記調整部は、前記判定部による判定結果に基づいて輝度を補正する輝度補正部と、階調に応じて輝度信号を補正する輝度信号補正部と、輝度信号の補正に伴う色相の変化を補正する色信号補正部を備える、
請求項１に記載の画像処理装置。
【請求項３】
前記輝度補正部は、前記判定部が判定した高輝度信号情報の縮退度合いに応じて、すべての階調にわたり、輝度を向上させる、
請求項２に記載の画像処理装置。
【請求項４】
前記輝度信号補正部は、縮退されている階調と縮退されていない階調に対して信号カーブを最適化する、
請求項２又は３のいずれかに記載の画像処理装置。
【請求項５】
前記色信号補正部は、前記輝度信号補正部により輝度信号を補正したことに伴い色相が変化したときにその変化を逆補正して元の色相を維持する、
請求項２乃至４のいずれかに記載の画像処理装置。
【請求項６】
前記色信号補正部は、輝度信号を補正する前後で輝度信号とクロマ信号の比が一定となるようにクロマ信号を補正する、
請求項２乃至５のいずれかに記載の画像処理装置。
【請求項７】
前記判定部は、入力画像の輝度信号レベルに基づいて、その高輝度信号情報の縮退度合いを判定する、
請求項１乃至６のいずれかに記載の画像処理装置。
【請求項８】
前記判定部は、入力画像内の最大輝度信号レベル、入力画像内の最大輝度信号レベル値近傍の量、入力画像内の輝度信号の平均値、入力画像内の黒（低輝度信号）レベル値近傍の量のうち少なくとも１つに基づいて高輝度信号情報の縮退度合いを判定する、
請求項１乃至６のいずれかに記載の画像処理装置。
【請求項９】
入力画像の高輝度信号情報の縮退度合いを判定する判定ステップと、
前記判定ステップにおける判定結果に基づいて、入力画像を調整する調整ステップと、
を有する画像処理方法。
【請求項１０】
入力画像の高輝度信号情報の縮退度合いを判定する判定部と、
前記判定部による判定結果に基づいて、入力画像を調整する調整部と、
調整された画像を表示する表示部と、
を具備する画像表示装置。
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
複数の光学系と、
前記複数の光学系により形成される像を撮像する撮像素子を有し、
前記撮像素子の画素ピッチをｐ（ｍｍ）、前記撮像素子の撮像領域の面積をＳ（ｍｍ２）、前記撮像素子の撮像領域のうち前記複数の光学系にそれぞれ対応する複数の撮像領域の画素数の平均値をＰＡＶＥ、前記複数の撮像領域の画素数の総和をＰＳＵＭ、前記複数の光学系のうち最も長い焦点距離を有する光学系の数をＮｔ、前記複数の光学系における互いに異なる焦点距離の数をｖａｒとしたとき、
2015181214.tif 000001
なる条件を満たすことを特徴とする複眼撮像装置。
【請求項２】
前記複数の光学系のうち最も短い焦点距離を有する光学系の数をＮｗ、実数ｘに対するｘ以下の最大の整数で定義される床関数をｆｌｏｏｒ（ｘ）としたとき、
2015181214.tif 000002
なる条件を満たすことを特徴とする請求項１に記載の複眼撮像装置。
【請求項３】
最も短い焦点距離を有する光学系の数は最も長い焦点距離を有する光学系の数よりも多いことを特徴とする請求項２に記載の複眼撮像装置。 
【請求項４】
最も短い焦点距離を有する光学系の数は、同一の焦点距離を有する光学系の数として最も多いことを特徴とする請求項３に記載の複眼撮像装置。
【請求項５】
前記複数の光学系は、最も長い焦点距離を有する光学系を複数含むことを特徴とする請求項１から４のいずれか１項に記載の複眼撮像装置。 
【請求項６】
最も長い焦点距離を有する光学系の数は、同一の焦点距離を有する光学系の数として最も少ないことを特徴とする請求項１から５のうちいずれか１項に記載の複眼撮像装置。
【請求項７】
前記複数の光学系は、任意の焦点距離を有する光学系iと、前記任意の焦点距離よりも長い焦点距離を有する光学系ｈとを備え、
前記光学系iの数をＮｉ、前記光学系ｈの数をＮｈとしたとき、
Ｎｉ≧Ｎｈ
なる条件を満たすことを特徴とする請求項１から６のうちいずれか１項に記載の複眼撮像装置。
【請求項８】
前記複数の光学系は、前記複数の光学系のイメージサークルが外接するように配置されることを特徴とする請求項１から７のいずれか１項に記載の複眼撮像装置。
【請求項９】
前記複数の光学系は、前記複数の光学系のイメージサークルが、前記撮像素子の互いに直交する辺の少なくとも一方の辺に沿って外接するように配置されることを特徴とする請求項１から８のいずれか１項に記載の複眼撮像装置。
【請求項１０】
前記複数の光学系は、前記複数の光学系のイメージサークルよりも前記複数の光学系の外径を表した円の方が大きい場合は、前記複数の光学系の外径を表した円が外接するように配置されることを特徴とする請求項１から７のいずれか１項に記載の複眼撮像装置。
【請求項１１】
前記複数の光学系は、前記複数の光学系のうち一部の光学系が前記一部の光学系のイメージサークルよりも前記一部の光学系の外径を表した円の方が大きい場合は、前記一部の光学系の外径を表した円と前記複数の光学系のうち他の光学系のイメージサークルとが外接するように配置されることを特徴とする請求項１から７のいずれか１項に記載の複眼撮像装置。
【請求項１２】
前記複数の光学系は、前記複数の光学系の外径を表した円よりも前記複数の光学系のイメージサークルの方が大きい場合は、前記複数の光学系のイメージサークルの一部が、前記撮像素子の互いに直交する辺の少なくとも一方の辺に沿って重なるように配置されることを特徴とする請求項１から９のうちいずれか１項に記載の複眼撮像装置。
【請求項１３】
前記複数の光学系および前記撮像素子を有する撮像ユニットを複数備えることを特徴とする請求項１から１２のうちいずれか１項に記載の複眼撮像装置。
【請求項１４】
前記複数の光学系は、前記撮像素子を備えた撮像装置本体に対して、着脱可能に装着されることを特徴とする請求項１から１３のうちいずれか１項に記載の複眼撮像装置。
【手続補正２】
【補正対象書類名】明細書
【補正対象項目名】０００９
【補正方法】変更
【補正の内容】
【０００９】
本発明の一側面としての複眼撮像装置は、複数の光学系と、前記複数の光学系により形成される像を撮像する撮像素子を有し、前記撮像素子の画素ピッチをｐ（ｍｍ）、前記撮像素子の撮像領域の面積をＳ（ｍｍ２）、前記撮像素子の撮像領域のうち前記複数の光学系にそれぞれ対応する複数の撮像領域の画素数の平均値をＰＡＶＥ、前記複数の撮像領域の画素数の総和をＰＳＵＭ、前記複数の光学系のうち最も長い焦点距離を有する光学系の数をＮｔ、前記複数の光学系における互いに異なる焦点距離の数をｖａｒとしたとき、
【手続補正書】
【提出日】平成29年1月6日(2017.1.6)
【手続補正１】
【補正対象書類名】明細書
【補正対象項目名】００６１
【補正方法】変更
【補正の内容】
【００６１】
更に本発明の別の実施形態では、前記一対の第１重複部のそれぞれが、前記第１接合部に沿い且つ前記長手軸線方向と相反する方向に突出する、前記中央シート部材の第２自由縁部を有し、前記第２自由縁部が、前記第１接合部の幅方向の長さの５／３以上の幅方向の長さを有する。
【手続補正２】
【補正対象書類名】明細書
【補正対象項目名】００６２
【補正方法】変更
【補正の内容】
【００６２】
更に本発明の別の実施形態では、前記側部シート部材が、前記長手方向に延び且つ前記幅方向に並べて配置される複数のシート片を含み、前記側部シート部材が、前記長手軸線側に位置するシート片を、前記吸収体側から、前記長手軸線側とは相反する側に隣接する他のシート片に重ね合わせることにより形成された重複部分を含み且つ前記長手方向に延びる第２重複部を有し、前記第２重複部が、前記シート片及び前記他のシート片を接合し、前記長手方向に延びる第２接合部と、前記第２接合部に沿い且つ前記長手軸線方向に突出する、前記他のシート片の第３自由縁部とを有する。
【手続補正３】
【補正対象書類名】特許請求の範囲
【補正対象項目名】全文
【補正方法】変更
【補正の内容】
【特許請求の範囲】
【請求項１】
肌面側に配置される液透過性の表面部材と、該表面部材の衣服側に配置される吸収体とを備え、長手方向及び幅方向を有する吸収性物品であって、
前記表面部材は、前記吸収性物品の長手軸線上に配置され、且つ前記長手方向に延びる中央シート部材と、
該中央シート部材の前記長手方向の両側部に配置され、且つ前記吸収性物品の長手方向に延びる一対の側部シート部材と
を備え、
前記表面部材が、前記一対の側部シート部材を、肌面側から前記中央シート部材に重ね合わせることにより形成された重複部分を含み且つ前記長手方向に延びる一対の第１重複部を有し、
前記一対の第１重複部のそれぞれが、前記中央シート部材及び前記側部シート部材を接合し、前記長手方向に延びる第１接合部と、前記第１接合部に沿い且つ前記長手軸線方向に突出する、前記側部シート部材の第１自由縁部とを有する、
前記吸収性物品。
【請求項２】
前記一対の第１重複部のそれぞれが、前記第１接合部に沿い且つ前記長手軸線方向と相反する方向に突出する、前記中央シート部材の第２自由縁部を有する、請求項１に記載の吸収性物品。
【請求項３】
前記第２自由縁部が、前記第１接合部の幅方向の長さの５／３以上の幅方向の長さを有する、請求項２に記載の吸収性物品。
【請求項４】
前記第１自由縁部が、前記第１接合部の幅方向の長さの５／３以上の幅方向の長さを有する、請求項１〜３のいずれか１項に記載の吸収性物品。
【請求項５】
前記側部シート部材が、前記長手方向に延び、且つ前記幅方向に並べて配置される複数のシート片を含み、
前記側部シート部材が、前記長手軸線側に位置するシート片を、前記吸収体側から、前記長手軸線側とは相反する側に隣接する他のシート片に重ね合わせることにより形成された重複部分を含み且つ前記長手方向に延びる第２重複部を有し、
前記第２重複部が、前記シート片及び前記他のシート片を接合し、前記長手方向に延びる第２接合部と、前記第２接合部に沿い且つ前記長手軸線方向に突出する、前記他のシート片の第３自由縁部とを有する、請求項１〜４のいずれか１項に記載の吸収性物品。
【請求項６】
前記第１自由縁部が、前記長手方向の全長に亘って一定の幅方向の長さを有している、請求項１〜５のいずれか１項に記載の吸収性物品。
【請求項７】
前記吸収体において、前記中央シート部材に対応する領域の坪量が、他の領域の坪量よりも大きい、請求項１〜５のいずれか１項に記載の吸収性物品。
【請求項８】
前記吸収体において、前記中央シート部材に対応する領域の厚さが、他の領域よりも厚い、請求項７に記載の吸収性物品。
【請求項９】
前記吸収体が、単層又は多層の吸収コアを含み 、前記中央シート部材に対応する領域の前記吸収コアの厚さ及び／又は層数が、前記他の領域のものよりも大きい、請求項７又は８に記載の吸収性物品。
【請求項１０】
前記第１接合部が、直線状に配置されたホットメルト接着剤である、請求項１〜９のいずれか１項に記載の吸収性物品。
【請求項１１】
前記第１接合部が、非直線状に配置されたホットメルト接着剤である、請求項１〜９のいずれか１項に記載の吸収性物品。
【請求項１２】
前記非直線状が、波形状又は螺旋を平面に投影した形状である、請求項１１に記載の吸収性物品。
【請求項１３】
前記中央シート部材の液透過性が、前記側部シート部材の液透過性よりも高い、請求項１〜１２のいずれか１項に記載の吸収性物品。
【請求項１４】
前記中央シート部材は、少なくとも肌面側の表面に複数の凸部が形成された構造を有する、請求項１〜１３のいずれか１項に記載の吸収性物品。
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
生体内に薬剤を送液する送液ポンプであって、
薬剤ライブラリを記憶する記憶部と、
制御部と、
当該送液ポンプの起動状態を、送液可能状態又は充電池が充電中である待機状態に切り替える起動状態切り替え部と、
当該送液ポンプに関する各種情報を表示する表示部と、を有し、
前記表示部は、前記制御部の制御により、前記待機状態において、前記記憶部に記憶されている前記薬剤ライブラリを特定する特定情報を表示する送液ポンプ。
【請求項２】
前記特定情報が前記薬剤ライブラリの更新の識別情報を含む請求項１に記載の送液ポンプ。
【請求項３】
前記薬剤ライブラリが複数のプロファイルを含み、前記特定情報が当該送液ポンプに適用されている前記プロファイルを特定する情報を含むものであり、
前記プロファイルは、
前記薬剤ライブラリに記憶されている薬剤の種類を使用用途に応じて絞り込んだ結果を記録したファイルである、請求項１または請求項２に記載の送液ポンプ。
【請求項４】
前記複数のプロファイルには、各々を識別可能にするプロファイルＩＤが設定され、  前記表示部は、前記特定情報として当該送液ポンプに適用されている前記プロファイルを特定する情報を表示する際に、前記適用プロファイルに設定されたプロファイルＩＤを視覚的に識別可能なアイコンに置き換えて表示する請求項３に記載の送液ポンプ。
【請求項５】
前記表示部は、前記特定情報を表示する際の表示状態を、前記適用プロファイルに応じて変化させる請求項３または４に記載の送液ポンプ。
【請求項６】
前記表示部は、前記特定情報を表示する際の表示状態を、前記薬剤ライブラリが更新されてからの経過時間に応じて変化させる請求項１〜５のいずれか１つに記載の送液ポンプ。
【請求項７】
前記記憶部は、定期点検時期をさらに記憶し、前記表示部は、前記待機状態において、前記定期点検時期の到達状況を知らせる情報を表示する請求項１〜６のいずれか１つに記載の送液ポンプ。
【請求項８】
当該送液ポンプが衝撃を受けたか否かを検出する衝撃検出部をさらに含み、  前記表示部は、前記待機状態において、前記衝撃検出部が衝撃を検出したか否かを知らせる情報を表示する請求項１〜７のいずれか１つに記載の送液ポンプ。
【請求項９】
前記表示部は、前記待機状態において前記特定情報を表示する際に、通常電力モード、又は、前記通常電力モードよりも低い消費電力でありながら前記特定情報を視認可能に表示する省電力モードに電力モードを切り替える電力モード切り替え部を含み、前記電力モード切り替え部は、前記通常電力モードにおいて所定の時間に亘って当該送液ポンプに対して何らの操作もなされなかったときに、前記電力モードを前記通常電力モードから前記省電力モードに切り替える請求項１〜８のいずれか１つに記載の送液ポンプ。
【請求項１０】
前記表示部は、前記送液可能状態において、送液する薬剤の種類の選択を受け付ける受け付け画面を表示し、前記特定情報を当該受け付け画面に表示する請求項１〜９のいずれか１つに記載の送液ポンプ。
【手続補正書】
【提出日】平成29年3月20日(2017.3.20)
【手続補正１】
【補正対象書類名】特許請求の範囲
【補正対象項目名】全文
【補正方法】変更
【補正の内容】
【特許請求の範囲】
【請求項１】
第１の制御装置と、前記第１の制御装置と通信可能な第２の制御装置とを備える遊技機であって、
前記第１の制御装置は、通信ごとに更新される基礎情報から生成される複数種類の特定情報に基づいて所定の条件の成立に伴う指示情報を変換することにより変換指示情報を生成し、前記基礎情報と前記変換指示情報とを含む通信情報を前記第２の制御装置へ送信する情報送信手段を含み、
前記第２の制御装置は、前記第１の制御装置からの前記通信情報を受信し、当該通信情報に含まれる前記基礎情報から生成される複数種類の特定情報に基づいて前記通信情報に含まれる前記変換指示情報を変換することにより前記指示情報を抽出する情報受信手段を含む、
ことを特徴とする遊技機。
【請求項２】
前記遊技機は、弾球遊技機、又はスロットマシン等の回胴式遊技機であることを特徴とする請求項１記載の遊技機。
【手続補正書】
【提出日】平成29年3月20日(2017.3.20)
【手続補正１】
【補正対象書類名】特許請求の範囲
【補正対象項目名】全文
【補正方法】変更
【補正の内容】
【特許請求の範囲】
【請求項１】
第１の制御装置と、前記第１の制御装置と通信可能な第２の制御装置とを備える遊技機であって、
前記第１の制御装置は、第１の基礎情報から生成される第１の特定情報に基づいて所定の条件の成立に伴う指示情報を変換することにより生成される変換指示情報を含む通信情報を前記第２の制御装置へ送信する情報送信手段を含み、
前記第２の制御装置は、前記第１の制御装置からの前記通信情報を受信し、通信ごとに更新される第２の基礎情報から生成される第２の特定情報に基づいて前記通信情報に含まれる前記変換指示情報を変換することにより前記指示情報を抽出する情報受信手段を含み、
前記情報送信手段は、前回の通信に対応する第１の特定情報から少なくとも１回の所定の演算に基づいて今回の通信に対応する前記第１の基礎情報を生成し、今回の通信に対応する前記第１の基礎情報から少なくとも１回の前記所定の演算に基づいて今回の通信に対応する前記第１の特定情報を生成し、
前記情報受信手段は、前回の通信に対する第２の特定情報から前記情報送信手段における前記所定の演算と同一回数の同一演算に基づいて今回の通信に対応する前記第２の基礎情報を生成し、当該第２の基礎情報から前記情報送信手段における前記所定の演算と同一回数の同一の演算に基づいて前記第２の特定情報を生成し、
前記第１の制御装置における前記第１の基礎情報と前記第２の制御装置における前記第２の基礎情報とを共通化する基礎情報共通化手段を含む、
ことを特徴とする遊技機。
【請求項２】
前記遊技機は、弾球遊技機、又はスロットマシン等の回胴式遊技機であることを特徴とする請求項１記載の遊技機。
【手続補正２】
【補正対象書類名】明細書
【補正対象項目名】０００６
【補正方法】変更
【補正の内容】
【０００６】
本発明に係る遊技機は、上記の課題を解決するために、
第１の制御装置と、前記第１の制御装置と通信可能な第２の制御装置とを備える遊技機であって、
前記第１の制御装置は、第１の基礎情報から生成される第１の特定情報に基づいて所定の条件の成立に伴う指示情報を変換することにより生成される変換指示情報を含む通信情報を前記第２の制御装置へ送信する情報送信手段を含み、
前記第２の制御装置は、前記第１の制御装置からの前記通信情報を受信し、通信ごとに更新される第２の基礎情報から生成される第２の特定情報に基づいて前記通信情報に含まれる前記変換指示情報を変換することにより前記指示情報を抽出する情報受信手段を含み、
前記情報送信手段は、前回の通信に対応する第１の特定情報から少なくとも１回の所定の演算に基づいて今回の通信に対応する前記第１の基礎情報を生成し、今回の通信に対応する前記第１の基礎情報から少なくとも１回の前記所定の演算に基づいて今回の通信に対応する前記第１の特定情報を生成し、
前記情報受信手段は、前回の通信に対する第２の特定情報から前記情報送信手段における前記所定の演算と同一回数の同一演算に基づいて今回の通信に対応する前記第２の基礎情報を生成し、当該第２の基礎情報から前記情報送信手段における前記所定の演算と同一回数の同一の演算に基づいて前記第２の特定情報を生成し、
前記第１の制御装置における前記第１の基礎情報と前記第２の制御装置における前記第２の基礎情報とを共通化する基礎情報共通化手段を含む、
ことを特徴としている。
【手続補正書】
【提出日】平成29年6月27日(2017.6.27)
【手続補正１】
【補正対象書類名】明細書
【補正対象項目名】０００８
【補正方法】変更
【補正の内容】
【０００８】
上記目的を達成するために、本発明の電子機器は、電池又はカプラが挿脱可能に収納される電池収納部が形成される電池収納部材と、前記電池収納部の挿脱口を開閉可能な電池蓋と、前記電池蓋を回動可能に支持する回動軸と、前記回動軸の軸方向に沿って前記電池又は前記カプラに係合する第１の位置と係合状態を解除する第２の位置との間を移動可能に設けられ、前記電池収納部に収納された前記電池又は前記カプラに係合して前記電池又は前記カプラをロックするロック部材と、前記回動軸と同軸に配置されて、前記ロック部材を前記第１の位置に向けて前記電池蓋を開き方向に付勢する付勢部材と、前記ロック部材が前記第１の位置となるときに前記回動軸を中心とする前記ロック部材の回動を規制し、前記ロック部材が前記第２の位置となるときに前記回動軸を中心とする前記ロック部材の回動を許容する規制手段と、前記ロック部材を前記第１の位置から前記第２の位置へ移動させる際に前記回動軸を中心として前記ロック部材を回動させる回動手段と、を備えることを特徴とする。
【手続補正２】
【補正対象書類名】特許請求の範囲
【補正対象項目名】全文
【補正方法】変更
【補正の内容】
【特許請求の範囲】
【請求項１】
電池又はカプラが挿脱可能に収納される電池収納部が形成される電池収納部材と、
前記電池収納部の挿脱口を開閉可能な電池蓋と、
前記電池蓋を回動可能に支持する回動軸と、
前記回動軸の軸方向に沿って前記電池又は前記カプラに係合する第１の位置と係合状態を解除する第２の位置との間を移動可能に設けられ、前記電池収納部に収納された前記電池又は前記カプラに係合して前記電池又は前記カプラをロックするロック部材と、
前記回動軸と同軸に配置されて、前記ロック部材を前記第１の位置に向けて前記電池蓋を開き方向に付勢する付勢部材と、
前記ロック部材が前記第１の位置となるときに前記回動軸を中心とする前記ロック部材の回動を規制し、前記ロック部材が前記第２の位置となるときに前記回動軸を中心とする前記ロック部材の回動を許容する規制手段と、
前記ロック部材を前記第１の位置から前記第２の位置へ移動させる際に前記回動軸を中心として前記ロック部材を回動させる回動手段と、を備えることを特徴とする電子機器。
【請求項２】
前記規制手段は、
前記電池収納部材に形成されている係合溝と、
前記ロック部材に形成されている突起部と、を有し、
前記係合溝には、幅寸法が異なる複数の領域が形成されており、前記突起部が前記係合溝の前記複数の領域の何れかに係合することで、前記回動軸を中心とする前記ロック部材の回動を規制することを特徴とする請求項１に記載の電子機器。
【請求項３】
前記回動手段は、
前記電池収納部材に形成されているカム面と、
前記ロック部材に形成されている摺動部と、を有し、
前記ロック部材を前記第１の位置から前記第２の位置へ移動させる際に、前記摺動部が前記カム面を摺動することで、前記回動軸を中心として前記ロック部材を回動させることを特徴とする請求項１又は２記載の電子機器。
【手続補正書】
【提出日】平成29年3月22日(2017.3.22)
【手続補正１】
【補正対象書類名】特許請求の範囲
【補正対象項目名】請求項２
【補正方法】変更
【補正の内容】
【請求項２】
前記決定手段は、前記予め定められた生体信号のグループに対応する複数のデータファイルが記録されている場合、前記複数のデータファイルの１つを選択する選択肢と、前記複数のデータファイルの組み合わせを選択する選択肢とを、前記予め定められた生体信号のグループに対応するデータファイルの選択肢として決定することを特徴とする請求項１記載の生体信号処理装置。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
任意の画像を表示可能な画像表示手段と、
発光表示手段とを備え、
前記発光表示手段は、前記画像表示手段の前側に位置する導光板と、前記導光板の端縁側に配置された一又は複数の発光素子と、前記導光板に設けられ且つ前記発光素子から前記導光板に入射して所定方向に進む光を前記導光板の一面側に反射する複数の反射部とを備えた
遊技機において、
前記端縁の長手方向における全範囲を、前記所定方向に前記反射部が位置する第１範囲とそれ以外の第２範囲とで構成し、
前記第１範囲内に前記発光素子を配置し、前記第２範囲には前記発光素子を配置せず、
第１のエラーが発生した場合には、前記発光表示手段を用いた報知は行わない一方、
第２のエラーが発生した場合には、前記発光表示手段を用いた報知を行うように構成した
ことを特徴とする遊技機。
【手続補正２】
【補正対象書類名】明細書
【補正対象項目名】０００７
【補正方法】変更
【補正の内容】
【０００７】
本発明は、任意の画像を表示可能な画像表示手段４１と、発光表示手段４４とを備え、前記発光表示手段４４は、前記画像表示手段４１の前側に位置する導光板７１と、前記導光板７１の端縁側に配置された一又は複数の発光素子７２と、前記導光板７１に設けられ且つ前記発光素子７２から前記導光板７１に入射して所定方向に進む光を前記導光板７１の一面側に反射する複数の反射部７４とを備えた遊技機において、前記端縁の長手方向における全範囲を、前記所定方向に前記反射部７４が位置する第１範囲とそれ以外の第２範囲とで構成し、前記第１範囲内に前記発光素子７２を配置し、前記第２範囲には前記発光素子７２を配置せず、第１のエラーが発生した場合には、前記発光表示手段４４を用いた報知は行わない一方、第２のエラーが発生した場合には、前記発光表示手段４４を用いた報知を行うように構成したものである。
また、導光板７１，１１１，１１２，１６１と、前記導光板７１，１１１，１１２，１６１の端面７１ａ，７１ｂ，１１１ａ，１１１ｂ，１１２ａ，１１２ｂ，１６１ａに対向する一又は複数の発光素子７２，７３，１３２〜１３５，１４５，１４６，１６５と、前記導光板７１，１１１，１１２，１６１に設けられ且つ前記端面７１ａ，７１ｂ，１１１ａ，１１１ｂ，１１２ａ，１１２ｂ，１６１ａから入射した前記発光素子７２，７３，１３２〜１３５，１４５，１４６，１６５からの光を前記導光板７１，１１１，１１２，１６１の一面側に反射する複数の反射部７４とを備えた遊技機において、前記反射部７４の集合体よりなる反射集合体８１ａ〜８１ｄ，１３１ａ〜１３１ｚ，１５１ａ〜１５１ｄ，１６４を一又は複数設け、前記反射集合体８１ａ〜８１ｄ，１３１ａ〜１３１ｚ，１５１ａ〜１５１ｄ，１６４は、その長手方向が前記発光素子７２，７３，１３２〜１３５，１４５，１４６，１６５からの光の照射方向と略一致するものを含むように構成してもよい。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
任意の画像を表示可能な画像表示手段と、
発光表示手段と、
駆動手段の駆動により動作する可動体とを備え、
前記発光表示手段は、前記画像表示手段の前側に位置する導光板と、前記導光板の端縁側に配置された一又は複数の発光素子とを備え且つ前記発光素子から前記導光板に入射した光を前記導光板の一面側に反射可能な
遊技機において、
前記駆動手段を前記導光板の外縁よりも外側に配置し、
前記可動体は前記導光板の後側を移動可能であり、
第１のエラーが発生した場合には、前記発光表示手段を用いた報知は行わない一方、
第２のエラーが発生した場合には、前記発光表示手段を用いた報知を行うように構成した
ことを特徴とする遊技機。
【手続補正２】
【補正対象書類名】明細書
【補正対象項目名】０００７
【補正方法】変更
【補正の内容】
【０００７】
本発明は、任意の画像を表示可能な画像表示手段４１と、発光表示手段４４と、駆動手段１４３の駆動により動作する可動体１４１とを備え、前記発光表示手段４４は、前記画像表示手段４１の前側に位置する導光板１１１と、前記導光板１１１の端縁側に配置された一又は複数の発光素子１４５とを備え且つ前記発光素子１４５から前記導光板１１１に入射した光を前記導光板１１１の一面側に反射可能な遊技機において、前記駆動手段１４３を前記導光板１１１の外縁よりも外側に配置し、前記可動体１４１は前記導光板１１１の後側を移動可能であり、第１のエラーが発生した場合には、前記発光表示手段４４を用いた報知は行わない一方、第２のエラーが発生した場合には、前記発光表示手段４４を用いた報知を行うように構成したものである。
また、導光板７１，１１１，１１２，１６１と、前記導光板７１，１１１，１１２，１６１の端面７１ａ，７１ｂ，１１１ａ，１１１ｂ，１１２ａ，１１２ｂ，１６１ａに対向する一又は複数の発光素子７２，７３，１３２〜１３５，１４５，１４６，１６５と、前記導光板７１，１１１，１１２，１６１に設けられ且つ前記端面７１ａ，７１ｂ，１１１ａ，１１１ｂ，１１２ａ，１１２ｂ，１６１ａから入射した前記発光素子７２，７３，１３２〜１３５，１４５，１４６，１６５からの光を前記導光板７１，１１１，１１２，１６１の一面側に反射する複数の反射部７４と、前記発光素子７２，７３，１３２〜１３５，１４５，１４６，１６５と前記端面７１ａ，７１ｂ，１１１ａ，１１１ｂ，１１２ａ，１１２ｂ，１６１ａとの間に配置され且つ前記発光素子７２，７３，１３２〜１３５，１４５，１４６，１６５からの光を集光する集光レンズ８２，８３，１３６〜１３９，１５２，１５３とを備えた遊技機において、前記端面７１ａ，７１ｂ，１１１ａ，１１１ｂ，１１２ａ，１１２ｂ，１６１ａの長手方向における連続する範囲であって前記反射部７４の配置位置を全て含む最小範囲である連続最小範囲８６，８７に対応して前記集光レンズ８２，８３，１３６〜１３９，１５２，１５３を配置してもよい。